(57)【特許請求の範囲】
【請求項１】
上位装置からのデータを受信するデータ受信手段と、上位装置からの頁長設定コマンドまたは操作パネルからの設定値に基き頁長を設定する頁長設定手段と、紙切れを検出する方法を設定する用紙切れ検出設定手段と、印刷を制御する印刷制御部と、印刷を実行する印刷機構部と、操作パネルからの情報を設定するパネル情報設定手段から構成され、用紙終端を検出する用紙センサを備え、前記印刷機構部と前記用紙センサが離れている連続紙用印刷装置であって、前記上位装置から前記頁長設定コマンドを受信することにより、前記用紙終端が前記用紙センサを通過後用紙残量の初期値から印刷・紙送りを行う毎に減算を行い、前記印刷機構部が前記頁長設定手段で設定された頁長の先頭に到達する度に前記用紙残量と前記頁長とを比較し、前記用紙残量が前記頁長より小さくなった時点で、用紙切れとして印刷を停止する用紙切れ検出設定に、前記用紙切れ検出設定手段が変更するようにしたことを特徴とする連続紙用印刷装置。
【請求項２】
請求項１記載の用紙切れ検出設定手段で使用する用紙切れ検出方法設定プログラムを記録した媒体を備えたことを特徴とする連続紙用印刷装置。
【発明の詳細な説明】
【０００１】
【発明の属する技術分野】
本発明は、印刷用紙として連続紙を使用する印刷装置に関する。
【０００２】
【従来の技術】
印刷機構部と印刷用紙終端を検出する用紙センサが離れている連続紙用印刷装置では、用紙センサが用紙終端を検出した後、用紙センサ位置と印刷機構部の距離または頁長設定値を基に、印刷の度毎に印刷可能用紙残量を算出し、その結果により印刷を停止させている。
【０００３】
【発明が解決しようとする課題】
図３及び図４を参照して、本発明が解決しようとする課題を詳述する。
図３において、４１は印刷機構部、４２は印刷用紙、４３は用紙終端を検出する用紙センサである。印刷用紙４２は印刷・紙送りと共に図の上方向へ移動する。図３の状態から印刷を行い、用紙終端が用紙センサ４３を通過した後は、予め用紙切れ検出設定手段でユーザにより設定された用紙切れ検出方法により動作が異なる。
用紙切れ検出に頁長設定値を反映させない方法（以下「用紙終端」とする）の場合には、用紙終端が用紙センサ４３を通過後用紙残量の初期値をＡとし、印刷・紙送りを行う毎に減算を行い、用紙残量が０となった時点で、用紙切れとして印刷を停止する。用紙切れ検出に頁長設定値を反映させる方法（以下「頁先頭」とする）の場合には、用紙終端が用紙センサ４３を通過後用紙残量の初期値をＡとし、印刷・紙送りを行う毎に減算を行い、印刷機構部が頁の先頭に到達する度に用紙残量と頁長Ｂとを比較し、用紙残量がＢより小さくなった時点で、用紙切れとして印刷を停止する。この場合、頁長設定値と実際の頁長が等しく、かつ頁先頭位置も設定と実際が等しい場合には、印刷用紙の終端で印刷を停止することができる。
【０００４】
しかし、用紙切れ検出が「頁先頭」の場合には、正確な位置で印刷を停止させることができるものの、用紙切れ検出が「用紙終端」の場合には、用紙センサ４３の作動誤差または取り付け誤差により実際の印刷停止位置が不正確であるという問題があった。
【０００５】
図４において、５１は上位装置からのデータを受信するデータ受信手段、５２は上位装置からの頁長設定コマンドまたは操作パネルからの設定値に基き頁長を設定する頁長設定手段、５３は紙切れを検出する方法を設定する用紙切れ検出設定手段、５４は印刷を制御する印刷制御部、５５は印刷を実行する印刷機構部、５６は操作パネルからの情報を設定するパネル情報設定手段である。図４に示す様に、従来の印刷装置における用紙切れ検出設定手段５３は、ユーザからのパネル情報設定手段５６によってのみ変更可能であり、頁長設定手段５２の情報は反映されていなかった。
【０００６】
本発明の目的は、ユーザの用紙切れ検出方法設定が「用紙終端」であっても、上位装置から頁長設定コマンドを受信した場合には、用紙切れ検出方法を「頁先頭」に変更することにより、紙切れによる印刷停止位置の精度向上を行うことにある。
【０００７】
【課題を解決するための手段】
上記問題を解決するため、本発明では、従来の装置に、頁長設定手段の情報を用紙切れ検出設定手段に伝達する機能を付加して、前記上位装置から前記頁長設定コマンドを受信することにより、前記用紙終端が前記用紙センサを通過後用紙残量の初期値から印刷・紙送りを行う毎に減算を行い、前記印刷機構部が前記頁長設定手段で設定された頁長の先頭に到達する度に前記用紙残量と前記頁長とを比較し、前記用紙残量が前記頁長より小さくなった時点で、用紙切れとして印刷を停止する用紙切れ検出設定に、前記用紙切れ検出設定手段が変更するようにした連続紙用印刷装置を構成する。そして、本発明の連続紙用印刷装置は、用紙切れ検出設定手段で使用する用紙切れ検出方法設定プログラムを記録した媒体を備える。
【０００８】
【発明の実施の形態】
以下、実施例図面を参照して本発明を詳述する。図１に本発明の一実施例のフローチャートを示す。
図１において、処理１で上位装置から頁長設定コマンドを受信したか否かの判断を行い、同コマンドを受信した場合、処理２で用紙切れ検出設定が「頁先頭」か否かの判断を行う。「頁先頭」に設定されていなかった場合のみ、処理３で用紙切れ検出設定を「頁先頭」に変更する。
【０００９】
図２は本発明の一実施例のブロック図である。
図２において、２１は上位装置からのデータを受信するデータ受信手段、２２は上位装置からの頁長設定コマンドまたは操作パネルからの設定値に基き頁長を設定する頁長設定手段、２３は紙切れを検出する方法を設定する用紙切れ検出設定手段、２４は印刷を制御する印刷制御部、２５は印刷を実行する印刷機構部、２６は操作パネルからの情報を設定するパネル情報設定手段である。パネル情報設定手段２６により用紙切れ検出が「頁先頭」に設定されている場合には、頁先頭位置で印刷を停止させることができる。パネル情報設定手段２６により用紙切れ検出が「用紙終端」に設定されている場合には、上位装置から頁長設定コマンドを受信すると頁長設定手段２２及び用紙切れ検出設定手段２３により、用紙切れ検出が「頁先頭」に設定される。
【００１０】
図５、図６は用紙切れ検出設定手段の一実施例である。図５は操作パネル、図６は設定方法である。
ユーザは図６で示す方法により、図５で示す操作パネルを用いて、用紙切れ検出設定を「頁先頭」「用紙終端」から選択する。
【００１１】
【発明の効果】
以上、詳述した様に、本発明によれば、ユーザの用紙切れ検出方法設定が「用紙終端」であっても、上位装置から頁長設定コマンドを受信した場合には、用紙切れ検出方法に頁長設定値を反映させる「頁先頭」に変更することにより、紙切れによる印刷停止位置の精度向上を行うことができる。
【図面の簡単な説明】
【図１】  本発明の一実施例のフローチャートである。
【図２】  本発明の一実施例のブロック図である。
【図３】  印刷機構部、印刷用紙、用紙センサの構成図である
【図４】  従来の印刷装置の例である。
【図５】  操作パネルの一例である。
【図６】  用紙切れ検出設定手段の一例である。
【符号の説明】
１は上位装置から頁長設定コマンドを受信したか否かの判断処理部、２は用紙切れ検出設定が「頁先頭」か否かの判断処理部、３は用紙切れ検出設定を「頁先頭」に変更する処理部、２１は上位装置からのデータを受信するデータ受信手段、２２は上位装置からの頁長設定コマンドまたは操作パネルからの設定値に基き頁長を設定する頁長設定手段、２３は紙切れを検出する方法を設定する用紙切れ検出設定手段、２４は印刷を制御する印刷制御部、２５は印刷を実行する印刷機構部、２６は操作パネルからの情報を設定するパネル情報設定手段、４１は印刷を実行する印刷機構部、４２は印刷用紙、４３は用紙終端を検出する用紙センサ、５１は上位装置からのデータを受信するデータ受信手段、５２は上位装置からの頁長設定コマンドまたは操作パネルからの設定値に基き頁長を設定する頁長設定手段、５３は紙切れを検出する方法を設定する用紙切れ検出設定手段、５４は印刷を制御する印刷制御部、５５は印刷を実行する印刷機構部、５６は操作パネルからの情報を設定するパネル情報設定手段である。
【図１】
0004529324.tif 000002
【図２】
0004529324.tif 000003
【図３】
0004529324.tif 000004
【図４】
0004529324.tif 000005
【図５】
0004529324.tif 000006
【図６】
0004529324.tif 000007